(57)【要約】  本発明の実施例は、装置間の遅延を正確に取得することができる通信方法及び通信装置を提供する。該方法は、受信側が時間指示情報を送信パケットに追加し、前記時間指示情報が受信側が前記送信側から前記受信側までの遅延を取得することに用いられることと、前記送信側が前記受信側へ前記送信パケットを送信することとを含む。
2019525504.tif 000002
【特許請求の範囲】
【請求項１】
通信方法であって、
送信側が時間指示情報を送信パケットに追加し、前記時間指示情報が受信側が前記送信側から前記受信側までの遅延を取得することに用いられることと、
前記送信側が前記受信側へ前記送信パケットを送信することとを含む、前記通信方法。
【請求項２】
前記送信パケットは、パケットデータ集約プロトコル（ＰＤＣＰ）層パケット、無線リンク制御（ＲＬＣ）層パケット又はメディアアクセス制御（ＭＡＣ）層パケットであることを特徴とする
請求項１に記載の方法。
【請求項３】
前記時間指示情報は、前記送信側が前記送信パケットを処理する開始時点、又は前記送信側が前記送信パケットを処理する処理遅延を含むことを特徴とする
請求項１又は２に記載の方法。
【請求項４】
前記送信側が前記受信側へ前記送信パケットを送信する前に、前記方法はさらに、
前記送信側が前記送信側から前記受信側までの遅延に対応するサービスのサービス品質ＱｏＳを取得する必要があることを確定することを含み、
前記送信側が前記受信側へ前記送信パケットを送信することは、
対応するＱｏＳに従い、前記送信側が前記受信側へ前記送信パケットを送信することを含むことを特徴とする
請求項１−３のいずれか一項に記載の方法。
【請求項５】
前記送信側が前記受信側へ前記送信パケットを送信することは、
前記送信側が複数の経路を介して前記受信側へ前記送信パケットを送信することを含むことを特徴とする
請求項１−４のいずれか一項に記載の方法。
【請求項６】
前記送信パケットはデータパケット又は専用遅延検出パケットであることを特徴とする
請求項１−５のいずれか一項に記載の方法。
【請求項７】
前記送信パケットはさらに遅延要求、受信側リストとフィードバック対象のうちの少なくとも一つを含むことを特徴とする
請求項１−６のいずれか一項に記載の方法。
【請求項８】
前記送信側が前記受信側のフィードバックメッセージを受信し、前記フィードバックメッセージが前記送信側から前記受信側までの遅延、又は前記送信側から前記受信側までの遅延が遅延要求を満たすか否かを示すことに用いられることを特徴とする
請求項１−７のいずれか一項に記載の方法。
【請求項９】
前記送信側が時間指示情報を送信パケットに追加する前に、前記方法はさらに、
前記送信側がサードパーティエンティティから送信された配置情報を受信し、前記配置情報が前記受信側へ前記時間指示情報を含む前記送信パケットを送信するように前記送信側に指示することに用いられることを含むことを特徴とする
請求項１−８のいずれか一項に記載の方法。
【請求項１０】
前記送信側が前記受信側へ前記送信パケットを送信することは、
Ｕｕインタフェース又は端末直接接続インタフェースを介して前記受信側へ前記送信パケットを送信することを含むことを特徴とする
請求項１−９のいずれか一項に記載の方法。
【請求項１１】
通信方法であって、
受信側が送信側から送信された送信パケットを受信し、前記送信パケットが時間指示情報を含むことと、
前記時間指示情報に基づき、前記受信側が前記送信側から前記受信側までの遅延を確定することとを含む、前記通信方法。
【請求項１２】
前記送信パケットはパケットデータ集約プロトコル（ＰＤＣＰ）層パケット、無線リンク制御（ＲＬＣ）層パケット又はメディアアクセス制御（ＭＡＣ）層パケットであることを特徴とする
請求項１１に記載の方法。
【請求項１３】
前記時間指示情報は前記送信側が前記送信パケットを処理する開始時点を含み、
前記方法はさらに前記受信側が前記送信側が前記送信パケットを処理する終了時点を確定することを含み、
前記受信側が前記送信側から前記受信側までの遅延を確定することは、
前記終了時点と前記開始時点の差に基づき、前記送信側から前記受信側までの遅延を確定することを含むことを特徴とする
請求項１１又は１２に記載の方法。
【請求項１４】
前記時間指示情報は前記送信側が前記送信パケットを処理する処理遅延、送信側から前記受信側までの任意の中間ノードが前記送信パケットを処理する処理遅延、及び任意の中間ノードによって取得されたその前のノードとの伝送遅延を含み、
前記方法はさらに前記受信側が受信側が前記送信パケットを処理する処理遅延、及び受信側と前記受信側の前のノードとの伝送遅延を確定することを含み、
前記受信側が前記送信側から前記受信側までの遅延を確定することは、
前記送信側が前記送信パケットを処理する処理遅延、送信側から前記受信側までの任意の中間ノードが前記送信パケットを処理する処理遅延、任意の中間ノードによって取得されたその前のノードとの伝送遅延、前記受信側が前記送信パケットを処理する処理遅延、及び受信側と前記受信側の前のノードとの伝送遅延という五者の和に基づき、前記送信側から前記受信側までの遅延を確定することを含むことを特徴とする
請求項１１又は１２に記載の方法。
【請求項１５】
異なるノードが前記送信パケットを処理する処理遅延が前記送信パケットの異なる情報フィールドに含まれ、異なるノードによって取得されたその前のノードとの伝送遅延が前記送信パケットの異なる情報フィールドに含まれ、同一のノードによって取得された処理遅延と伝送遅延が前記送信パケットの異なる情報フィールドに含まれることを含むことを特徴とする
請求項１４に記載の方法。
【請求項１６】
前記時間指示情報は前記送信側が前記送信パケットを処理する処理遅延、及び送信側から前記受信側までの任意の中間ノードが前記送信パケットを処理する処理遅延と取得されたその前のノードとの伝送遅延との和を含み、
前記方法はさらに前記受信側が受信側が前記送信パケットを処理する処理遅延、及び受信側と前記受信側の前のノードとの伝送遅延を確定することを含み、
前記受信側が前記送信側から前記受信側までの遅延を確定することは、
前記送信側が前記送信パケットを処理する処理遅延、前記任意の中間ノードが前記送信パケットを処理する処理遅延と取得されたその前のノードとの伝送遅延との和、受信側が前記送信パケットを処理する処理遅延、及び受信側と前記受信側の前のノードとの伝送遅延という四者の和に基づき、前記送信側から前記受信側までの遅延を確定することを含むことを特徴とする
請求項１１又は１２に記載の方法。
【請求項１７】
異なるノードが前記送信パケットを処理する処理遅延と取得されたその前のノードとの伝送遅延の和が前記送信パケットの異なる情報フィールドに含まれることを特徴とする
請求項１６に記載の方法。
【請求項１８】
前記時間指示情報は、前記送信側が前記送信パケットを処理する処理遅延と前記送信側から前記受信側までの任意の中間ノードが前記送信パケットを処理する処理遅延と任意の中間ノードとその前のノードとの伝送遅延との和を含み、
前記方法はさらに前記受信側が前記受信側が前記送信パケットを処理する処理遅延、及び前記受信側の前のノードから前記受信側までの伝送遅延を確定することを含み、
前記受信側が前記受信側から前記受信側までの遅延を確定することは、
前記送信側が前記送信パケットを処理する処理遅延と前記送信側から前記受信側までの任意の中間ノードが前記送信パケットを処理する処理遅延と任意の中間ノードとその前のノードとの伝送遅延との和、前記送信側が前記送信パケットを処理する処理遅延、及び前記受信側の前のノードから前記受信側までの伝送遅延という三者の和に基づき、前記送信側から前記受信側までの遅延を確定することを含むことを特徴とする
請求項１１又は１２に記載の方法。
【請求項１９】
前記遅延が前記送信側から前記受信側までの同期時間偏差を含むことを特徴とする
請求項１１−１８のいずれか一項に記載の方法。
【請求項２０】
前記方法はさらに、
前記受信側が前記時間指示情報に記録された、前記受信側の前の隣接ノードの同期時間偏差、及び前記受信側の前のノードと前記受信側の同期時間偏差に基づき、前記送信側から前記受信側までの同期時間偏差を計算することを特徴とする
請求項１９に記載の方法。
【請求項２１】
前記受信側が送信側から送信された送信パケットを受信することは、前記送信側から複数の経路を介して送信された前記送信パケットを受信することを含み、
前記受信側が前記送信側から前記受信側までの遅延を確定することは、
前記送信側から前記受信側までの前記複数の経路のうちの各径路の遅延を確定することを含むことを特徴とする
請求項１１−２０のいずれか一項に記載の方法。
【請求項２２】
前記方法はさらに、
前記受信側が前記送信側から前記受信側までの遅延が遅延要求を満たすか否かを確定することと、前記送信側又はサードパーティエンティティに、前記送信側から前記受信側までの遅延が遅延要求を満たすか否かを示すためのフィードバックメッセージを送信すること、又は
前記受信側が前記送信側又はサードパーティへ前記遅延を送信することを含むことを特徴とする
請求項１１−２１のいずれか一項に記載の方法。
【請求項２３】
前記送信パケットはさらに遅延要求、受信側リストとフィードバック対象のうちの少なくとも一つを含むことを特徴とする
請求項２１又は２２に記載の方法。
【請求項２４】
前記受信側が送信側から送信された送信パケットを受信することは、
Ｕｕインタフェース又は端末直接接続インタフェースを介して前記送信パケットを受信することを含むことを特徴とする
請求項１１−２３のいずれか一項に記載の方法。
【請求項２５】
通信方法であって、
通信ノードが送信側から送信された、宛先が受信側である送信パケットを受信することと、
前記通信ノードが前記送信パケットを処理する処理遅延と前のノードから前記通信ノードまでの伝送遅延を前記送信パケットに追加することと、
前記通信ノードが前記送信パケットを前記受信側に送信することとを含む、前記通信方法。
【請求項２６】
前記方法はさらに、
前記通信ノードの前のノードが前記通信ノードと同期していない場合、前記通信ノードと前記前のノードの同期時間偏差を確定することと、
前記同期時間偏差を前記送信パケットに追加することとを含むことを特徴とする
請求項２５に記載の方法。
【請求項２７】
前記通信ノードが前記送信パケットを処理する処理遅延を前記送信パケットに追加することは、
前記通信ノードが他のノードによって追加された処理遅延及び伝送遅延と異なる情報フィールドに、前記通信ノードによって取得された処理遅延及び伝送遅延を追加し、前記通信ノードによって追加された処理遅延と伝送遅延が異なる情報フィールドに位置すること、又は
他のノードによって追加された処理遅延と伝送遅延の和と異なる情報フィールドに、前記通信ノードによって取得された処理遅延と伝送遅延の和を追加すること、又は
前記送信パケットにおける既存の時間指示情報に示される時間値を積算することにより、前記処理遅延と伝送遅延の和を追加し、既存の時間指示情報に示される時間値が前記送信側が前記送信パケットを処理する処理遅延、前記送信側から前記通信ノードまでの中間ノードが前記送信パケットを処理する処理遅延、及び前記送信側から前記通信ノードの前のノードまでの伝送遅延の和を示すことを含むことを特徴とする
請求項２５又は２６に記載の方法。
【請求項２８】
通信装置であって、
時間指示情報を送信パケットに追加するように構成され、前記時間指示情報が、受信側が前記通信装置から前記受信側までの遅延を取得することに用いられる処理ユニットと、
前記受信側へ前記送信パケットを送信するように構成される送信ユニットとを備える、前記通信装置。
【請求項２９】
前記送信パケットはパケットデータ集約プロトコル（ＰＤＣＰ）層パケット、無線リンク制御（ＲＬＣ）層パケット又はメディアアクセス制御（ＭＡＣ）層パケットであることを特徴とする
請求項２８に記載の装置。
【請求項３０】
前記時間指示情報は前記通信装置が前記送信パケットを処理する開始時点、又は前記通信装置が前記送信パケットを処理する処理遅延を含むことを特徴とする
請求項２８又は２９に記載の装置。
【請求項３１】
前記処理ユニットはさらに前記通信装置から前記受信側までの遅延に対応するサービスのサービス品質ＱｏＳを取得する必要があることを確定するように構成され、
前記送信ユニットは具体的に対応するＱｏＳに従い、前記受信側へ前記送信パケットを送信するように構成されることを特徴とする
請求項２８−３０のいずれか一項に記載の装置。
【請求項３２】
前記送信ユニットは具体的に、
複数の経路を介して前記受信側へ前記送信パケットを送信するように構成されることを特徴とする
請求項２８−３１のいずれか一項に記載の装置。
【請求項３３】
前記送信パケットはデータパケット又は専用遅延検出パケットであることを特徴とする
請求項２８−３２のいずれか一項に記載の装置。
【請求項３４】
前記送信パケットはさらに遅延要求、受信側リストとフィードバック対象のうちの少なくとも一つを含むことを特徴とする
請求項２８−３２のいずれか一項に記載の装置。
【請求項３５】
前記通信装置はさらに受信ユニットを備え、前記受信ユニットは、
前記受信側のフィードバックメッセージを受信するように構成され、前記フィードバックメッセージが前記通信装置から前記受信側までの遅延、又は前記通信装置から前記受信側までの遅延が遅延要求を満たすか否かを示すことに用いられることを特徴とする
請求項２８−３４のいずれか一項に記載の装置。
【請求項３６】
前記通信装置はさらに受信ユニットを備え、前記受信ユニットは、
サードパーティエンティティから送信された配置情報を受信するように構成され、前記配置情報が前記受信側へ前記時間指示情報を含む前記送信パケットを送信するように前記通信装置に指示することに用いられることを特徴とする
請求項２８−３５のいずれか一項に記載の装置。
【請求項３７】
前記送信ユニットは具体的に、
Ｕｕインタフェース又は端末直接接続インタフェースを介して前記受信側へ前記送信パケットを送信するように構成されることを特徴とする
請求項２８−３６のいずれか一項に記載の装置。
【請求項３８】
通信装置であって、
送信側から送信された送信パケットを受信するように構成され、前記送信パケットが時間指示情報を含む受信ユニットと、
前記時間指示情報に基づき、前記送信側から前記通信装置までの遅延を確定するように構成される処理ユニットとを備える、前記通信装置。
【請求項３９】
前記送信パケットはパケットデータ集約プロトコル（ＰＤＣＰ）層パケット、無線リンク制御（ＲＬＣ）層パケット又はメディアアクセス制御（ＭＡＣ）層パケットであることを特徴とする
請求項３８に記載の装置。
【請求項４０】
前記時間指示情報は、前記送信側が前記送信パケットを処理する開始時点を含み、
前記処理ユニットは具体的に、前記送信側が前記送信パケットを処理する終了時点を確定し、前記終了時点と前記開始時点の差に基づき、前記送信側から前記通信装置までの遅延を確定するように構成されることを特徴とする
請求項３８又は３９に記載の装置。
【請求項４１】
前記時間指示情報は前記送信側が前記送信パケットを処理する処理遅延、送信側から前記通信装置までの任意の中間ノードが前記送信パケットを処理する処理遅延、及び任意の中間ノードによって取得されたその前のノードとの伝送遅延を含み、
前記処理ユニットは具体的に通信装置が前記送信パケットを処理する処理遅延、及び通信装置と前記通信装置の前のノードとの伝送遅延を確定し、前記送信側が前記送信パケットを処理する処理遅延、送信側から前記通信装置までの任意の中間ノードが前記送信パケットを処理する処理遅延、及び前記任意の中間ノードによって取得されたその前のノードとの伝送遅延、前記通信装置が前記送信パケットを処理する処理遅延、及び通信装置と前記通信装置の前のノードとの伝送遅延という五者の和に基づき、前記送信側から前記通信装置までの遅延を確定するように構成されることを特徴とする
請求項３８又は３９に記載の装置。
【請求項４２】
異なるノードが前記送信パケットを処理する処理遅延が前記送信パケットの異なる情報フィールドに含まれ、異なるノードによって取得されたその前のノードとの伝送遅延が前記送信パケットの異なる情報フィールドに含まれ、同一のノードによって取得された処理遅延と伝送遅延が前記送信パケットの異なる情報フィールドに含まれることを特徴とする
請求項４１に記載の装置。
【請求項４３】
前記時間指示情報は前記送信側が前記送信パケットを処理する処理遅延、及び送信側から前記通信装置までの任意の中間ノードが前記送信パケットを処理する処理遅延と取得されたその前のノードとの伝送遅延との和を含み、
前記処理ユニットは具体的に通信装置が前記送信パケットを処理する処理遅延、及び通信装置と前記受信側の前のノードとの伝送遅延を確定し、前記送信側が前記送信パケットを処理する処理遅延、前記任意の中間ノードが前記送信パケットを処理する処理遅延と取得されたその前のノードとの伝送遅延との和、通信装置が前記送信パケットを処理する処理遅延、及び通信装置と前記通信装置の前のノードとの伝送遅延という四者の和に基づき、前記送信側から前記通信装置までの遅延を確定するように構成されることを特徴とする
請求項３８又は３９に記載の装置。
【請求項４４】
異なるノードが前記送信パケットを処理する処理遅延と取得されたその前のノードとの伝送遅延の和が前記送信パケットの異なる情報フィールドに含まれることを特徴とする
請求項４３に記載の装置。
【請求項４５】
前記時間指示情報は前記送信側が前記送信パケットを処理する処理遅延と前記送信側から前記通信装置までの任意の中間ノードが前記送信パケットを処理する処理遅延と任意の中間ノードとその前のノードとの伝送遅延との和を含み、
前記処理ユニットは具体的に前記通信装置が前記送信パケットを処理する処理遅延、及び前記通信装置の前のノードから前記通信装置までの伝送遅延を確定し、前記送信側が前記送信パケットを処理する処理遅延と前記送信側から前記通信装置までの任意の中間ノードが前記送信パケットを処理する処理遅延と任意の中間ノードとその前のノードとの伝送遅延との和、前記受信側が前記送信パケットを処理する処理遅延、及び前記通信装置の前のノードから前記通信装置までの伝送遅延という三者の和に基づき、前記送信側から前記通信装置までの遅延を確定するように構成されることを特徴とする
請求項３８又は３９に記載の装置。
【請求項４６】
前記遅延が前記送信側から前記通信装置までの同期時間偏差を含むことを特徴とする
請求項３８−４５のいずれか一項に記載の装置。
【請求項４７】
前記処理ユニットはさらに、
前記時間指示情報に記録された、前記通信装置の前の隣接ノードの同期時間偏差、及び前記通信装置の前のノードと前記通信装置の同期時間偏差に基づき、前記送信側から前記通信装置までの同期時間偏差を計算するように構成されることを特徴とする
請求項４６に記載の装置。
【請求項４８】
前記受信ユニットは具体的に前記送信側から複数の経路を介して送信された前記送信パケットを受信するように構成され、
前記処理ユニットは具体的に前記送信側から前記通信装置までの前記複数の経路のうちの各径路の遅延を確定するように構成されることを特徴とする
請求項３８−４７のいずれか一項に記載の装置。
【請求項４９】
さらに送信ユニットを備え、
前記処理ユニットはさらに前記送信側から前記通信装置までの遅延が遅延要求を満たすか否かを確定するように構成され、前記送信ユニットは前記送信側又はサードパーティエンティティに、前記送信側から前記通信装置までの遅延が遅延要求を満たすか否かを示すためのフィードバックメッセージを送信するように構成され、又は
前記送信ユニットは前記送信側又はサードパーティへ前記遅延を送信するように構成されることを特徴とする
請求項３８−４８のいずれか一項に記載の装置。
【請求項５０】
前記送信パケットはさらに遅延要求、通信装置リストとフィードバック対象のうちの少なくとも一つを含むことを特徴とする
請求項３８又は４９に記載の装置。
【請求項５１】
前記受信ユニットは具体的に、
Ｕｕインタフェース又は端末直接接続インタフェースを介して前記送信パケットを受信するように構成されることを特徴とする
請求項３８−５０のいずれか一項に記載の装置。
【請求項５２】
通信装置であって、
送信側から送信された、宛先が受信側である送信パケットを受信するように構成される受信ユニットと、
前記送信パケットを処理する処理遅延と前のノードから前記通信装置までの伝送遅延を前記送信パケットに追加するように構成される処理ユニットと、
前記送信パケットを前記受信側に送信するように構成される送信ユニットとを備える、前記通信装置。
【請求項５３】
前記処理ユニットはさらに前記通信装置の前のノードが前記通信装置と同期していない場合、前記通信装置と前記前のノードの同期時間偏差を確定し、
前記同期時間偏差を前記送信パケットに追加するように構成されることを特徴とする
請求項５２に記載の装置。
【請求項５４】
前記処理ユニットは具体的に、
他のノードによって追加された処理遅延及び伝送遅延と異なる情報フィールドに、前記通信装置によって取得された処理遅延及び伝送遅延を追加するように構成され、前記通信装置によって追加された処理遅延と伝送遅延が異なる情報フィールドに位置し、又は
他のノードによって追加された処理遅延と伝送遅延の和と異なる情報フィールドに、前記通信装置によって取得された処理遅延と伝送遅延の和を追加するように構成され、又は
前記送信パケットにおける既存の時間指示情報に示される時間値を積算することにより、前記処理遅延と伝送遅延の和を追加するように構成され、既存の時間指示情報に示される時間値が前記送信側が前記送信パケットを処理する処理遅延、前記送信側から前記通信装置までの中間ノードが前記送信パケットを処理する処理遅延、及び前記送信側から前記通信装置の前のノードまでの伝送遅延の和を示すことを特徴とする
請求項５２又は５３に記載の装置。
【発明の詳細な説明】
【技術分野】
【０００１】
本発明は、通信分野に関し、より具体的には、通信方法と通信装置に関する。
【背景技術】
【０００２】
通信技術では、遅延がユーザ体験に大きな影響を与えるため、遅延を低減することは現代の通信技術の緊急なニーズとなっている。しかし、遅延を低減することを保障するために、遅延を正確に取得する必要がある。
【０００３】
したがって、どのように遅延を正確に取得するかは解決すべき問題である。
【発明の概要】
【発明が解決しようとする課題】
【０００４】
本発明の実施例は装置間の遅延を正確に取得することができる通信方法及び通信装置を提供する。
【課題を解決するための手段】
【０００５】
第一の態様による通信方法であって、該方法は、送信側が時間指示情報を送信パケットに追加し、前記時間指示情報が受信側が前記送信側から前記受信側までの遅延を取得することに用いられることと、前記送信側が前記受信側へ前記送信パケットを送信することとを含む。
【０００６】
第一の態様と組み合わせ、第一の態様の第一の可能な実施形態では、前記送信パケットは、パケットデータ集約プロトコル（ＰＤＣＰ）層パケット、無線リンク制御（ＲＬＣ）層パケット又はメディアアクセス制御（ＭＡＣ）層パケットである。
【０００７】
第一の態様又はその上記のいずれかの可能な実施形態と組み合わせ、第一の態様の第二の可能な実施形態では、前記時間指示情報は、前記送信側が前記送信パケットを処理する開始時点、又は前記送信側が前記送信パケットを処理する処理遅延を含む。
【０００８】
第一の態様又はその上記のいずれかの可能な実施形態と組み合わせ、第一の態様の第三の可能な実施形態では、前記送信側が前記受信側へ前記送信パケットを送信する前に、前記方法はさらに、
前記送信側が前記送信側から前記受信側までの遅延に対応するサービスのサービス品質ＱｏＳを取得する必要があることを確定することを含み、
前記送信側が前記受信側へ前記送信パケットを送信することは、
対応するＱｏＳに従い、前記送信側が前記受信側へ前記送信パケットを送信することを含む。
【０００９】
第一の態様又はその上記のいずれかの可能な実施形態と組み合わせ、第一の態様の第四の可能な実施形態では、前記送信側が前記受信側へ前記送信パケットを送信することは、
前記送信側が複数の経路を介して前記受信側へ前記送信パケットを送信することを含む。
【００１０】
第一の態様又はその上記のいずれかの可能な実施形態と組み合わせ、第一の態様の第五の可能な実施形態では、前記送信パケットはデータパケット又は専用遅延検出パケットである。
【００１１】
第一の態様又はその上記のいずれかの可能な実施形態と組み合わせ、第一の態様の第六の可能な実施形態では、前記送信パケットはさらに遅延要求、受信側リストとフィードバック対象のうちの少なくとも一つを含む。
【００１２】
第一の態様又はその上記のいずれかの可能な実施形態と組み合わせ、第一の態様の第七の可能な実施形態では、前記送信側が前記受信側のフィードバックメッセージを受信し、前記フィードバックメッセージが前記送信側から前記受信側までの遅延、又は前記送信側から前記受信側までの遅延が遅延要求を満たすか否かを示すことに用いられる。
【００１３】
第一の態様又はその上記のいずれかの可能な実施形態と組み合わせ、第一の態様の第八の可能な実施形態では、前記送信側が時間指示情報を送信パケットに追加する前に、前記方法はさらに、
前記送信側がサードパーティエンティティから送信された配置情報を受信し、前記配置情報が前記受信側へ前記時間指示情報を含む前記送信パケットを送信するように前記送信側に指示することに用いられることを含む。
【００１４】
第一の態様又はその上記のいずれかの可能な実施形態と組み合わせ、第一の態様の第九の可能な実施形態では、前記送信側が前記受信側へ前記送信パケットを送信することは、
Ｕｕインタフェース又は端末直接接続インタフェースを介して前記受信側へ前記送信パケットを送信することを含む。
【００１５】
第二の態様による通信方法であって、
受信側が送信側から送信された送信パケットを受信し、前記送信パケットが時間指示情報を含むことと、
前記時間指示情報に基づき、前記受信側が前記送信側から前記受信側までの遅延を確定することとを含む。
【００１６】
第二の態様と組み合わせ、第二の態様の第一の可能な実施形態では、前記送信パケットはパケットデータ集約プロトコル（ＰＤＣＰ）層パケット、無線リンク制御（ＲＬＣ）層パケット又はメディアアクセス制御（ＭＡＣ）層パケットである。
【００１７】
第二の態様又はその上記のいずれかの可能な実施形態と組み合わせ、第二の態様の第二の可能な実施形態では、前記時間指示情報は前記送信側が前記送信パケットを処理する開始時点を含み、
前記方法はさらに前記受信側が前記送信側が前記送信パケットを処理する終了時点を確定することを含み、
前記受信側が前記送信側から前記受信側までの遅延を確定することは、
前記終了時点と前記開始時点の差に基づき、前記送信側から前記受信側までの遅延を確定することを含む。
【００１８】
第二の態様又はその上記のいずれかの可能な実施形態では、第二の態様の第三の可能な実施形態では、前記時間指示情報は前記送信側が前記送信パケットを処理する処理遅延、送信側から前記受信側までの任意の中間ノードが前記送信パケットを処理する処理遅延、及び任意の中間ノードによって取得されたその前のノードとの伝送遅延を含む。
【００１９】
前記方法はさらに前記受信側が受信側が前記送信パケットを処理する処理遅延、及び受信側と前記受信側の前のノードとの伝送遅延を確定することを含み、
前記受信側が前記送信側から前記受信側までの遅延を確定することは、
前記送信側が前記送信パケットを処理する処理遅延、送信側から前記受信側までの任意の中間ノードが前記送信パケットを処理する処理遅延、任意の中間ノードによって取得されたその前のノードとの伝送遅延、前記受信側が前記送信パケットを処理する処理遅延、及び受信側と前記受信側の前のノードとの伝送遅延という五者の和に基づき、前記送信側から前記受信側までの遅延を確定することを含む。
【００２０】
第二の態様の第三の可能な実施形態と組み合わせ、第二の態様の第四の可能な実施形態では、異なるノードが前記送信パケットを処理する処理遅延が前記送信パケットの異なる情報フィールドに含まれ、異なるノードによって取得されたその前のノードとの伝送遅延が前記送信パケットの異なる情報フィールドに含まれ、同一のノードによって取得された処理遅延と伝送遅延が前記送信パケットの異なる情報フィールドに含まれる。
【００２１】
第二の態様又はその上記のいずれかの可能な実施形態と組み合わせ、第二の態様の第五の可能な実施形態では、前記時間指示情報は前記送信側が前記送信パケットを処理する処理遅延、及び送信側から前記受信側までの任意の中間ノードが前記送信パケットを処理する処理遅延と取得されたその前のノードとの伝送遅延との和を含む。
【００２２】
前記方法はさらに前記受信側が受信側が前記送信パケットを処理する処理遅延、及び受信側と前記受信側の前のノードとの伝送遅延を確定することを含み、
前記受信側が前記送信側から前記受信側までの遅延を確定することは、
前記送信側が前記送信パケットを処理する処理遅延、前記任意の中間ノードが前記送信パケットを処理する処理遅延と取得されたその前のノードとの伝送遅延との和、受信側が前記送信パケットを処理する処理遅延、及び受信側と前記受信側の前のノードとの伝送遅延という四者の和に基づき、前記送信側から前記受信側までの遅延を確定することを含む。
【００２３】
第二の態様の第五の可能な実施形態と組み合わせ、第二の態様の第六の可能な実施形態では、異なるノードが前記送信パケットを処理する処理遅延と取得されたその前のノードとの伝送遅延の和が前記送信パケットの異なる情報フィールドに含まれる。
【００２４】
第二の態様又はその上記のいずれかの可能な実施形態と組み合わせ、第二の第七の可能な実施形態では、前記時間指示情報は前記送信側が前記送信パケットを処理する処理遅延と前記送信側から前記受信側までの任意の中間ノードが前記送信パケットを処理する処理遅延と任意の中間ノードとその前のノードとの伝送遅延との和を含み、
前記方法はさらに前記受信側が前記受信側が前記送信パケットを処理する処理遅延、及び前記受信側の前のノードから前記受信側までの伝送遅延を確定することを含み、
前記受信側が前記受信側から前記受信側までの遅延を確定することは、
前記送信側が前記送信パケットを処理する処理遅延と前記送信側から前記受信側までの任意の中間ノードが前記送信パケットを処理する処理遅延と任意の中間ノードとその前のノードとの伝送遅延との和、前記受信側が前記送信パケットを処理する処理遅延、及び前記受信側の前のノードから前記受信側までの伝送遅延という三者の和に基づき、前記送信側から前記受信側までの遅延を確定することを含む。
【００２５】
第二の態様又はその以上のいずれかの可能な実施形態と組み合わせ、第二の態様の第八の可能な実施形態では、前記遅延が前記送信側から前記受信側までの同期時間偏差を含む。
【００２６】
第二の態様又はその上記のいずれかの可能な実施形態と組み合わせ、第二の態様の第九の可能な実施形態では、前記受信側が前記時間指示情報に記録された、前記受信側の前の隣接ノードの同期時間偏差、及び前記受信側の前のノードと前記受信側の同期時間偏差に基づき、前記送信側から前記受信側までの同期時間偏差を計算する。
【００２７】
第二の態様又はその上記のいずれかの可能な実施形態と組み合わせ、第二の態様の第十の可能な実施形態では、前記受信側が送信側から送信された送信パケットを受信することは、前記送信側から複数の経路を介して送信された前記送信パケットを受信することを含み、
前記受信側が前記送信側から前記受信側までの遅延を確定することは、
前記送信側から前記受信側までの前記複数の経路のうちの各径路の遅延を確定することを含む。
【００２８】
第二の態様又はその上記のいずれかの可能な実施形態と組み合わせ、第二の態様の第十一の可能な実施形態では、前記方法はさらに、
前記受信側が前記送信側から前記受信側までの遅延が遅延要求を満たすか否かを確定することと、前記送信側又はサードパーティエンティティに、前記送信側から前記受信側までの遅延が遅延要求を満たすか否かを示すためのフィードバックメッセージを送信することと、又は
前記受信側が前記送信側又はサードパーティへ前記遅延を送信することとを含む。
【００２９】
第二の態様又はその上記のいずれかの可能な実施形態と組み合わせ、第二の態様の第十二の可能な実施形態では、前記送信パケットはさらに遅延要求、受信側リストとフィードバック対象のうちの少なくとも一つを含む。
【００３０】
第二の態様又はその上記のいずれかの可能な実施形態と組み合わせ、第二の態様の第十三の可能な実施形態では、前記受信側が送信側から送信された送信パケットを受信することは、
Ｕｕインタフェース又は端末直接接続インタフェースを介して前記送信パケットを受信することを含む。
【００３１】
第三の態様による通信方法であって、
通信ノードが送信側から送信された、宛先が受信側である送信パケットを受信することと、
前記通信ノードが前記送信パケットを処理する処理遅延と前のノードから前記通信ノードまでの伝送遅延を前記送信パケットに追加することと、
前記通信ノードが前記送信パケットを前記受信側に送信することとを含む。
【００３２】
第三の態様と組み合わせ、第三の態様の第一の可能な実施形態では、前記方法はさらに、
前記通信ノードの前のノードが前記通信ノードと同期していない場合、前記通信ノードと前記前のノードの同期時間偏差を確定することと、
前記同期時間偏差を前記送信パケットに追加することとを含む。
【００３３】
第三の態様又はその第一の可能な実施形態と組み合わせ、第三の態様の第二の可能な実施形態では、前記通信ノードが前記送信パケットを処理する処理遅延を前記送信パケットに追加することは、
前記通信ノードが他のノードによって追加された処理遅延及び伝送遅延と異なる情報フィールドに、前記通信ノードによって取得された処理遅延及び伝送遅延を追加し、前記通信ノードによって追加された処理遅延と伝送遅延が異なる情報フィールドに位置すること、又は
他のノードによって追加された処理遅延と伝送遅延の和と異なる情報フィールドに、前記通信ノードによって取得された処理遅延と伝送遅延の和を追加すること、又は
前記送信パケットにおける既存の時間指示情報に示される時間値を積算することにより、前記処理遅延と伝送遅延の和を追加し、既存の時間指示情報に示される時間値が前記送信側が前記送信パケットを処理する処理遅延、前記送信側から前記通信ノードまでの中間ノードが前記送信パケットを処理する処理遅延と前記送信側から前記通信ノードの前のノードまでの伝送遅延の和を表すことを含む。
【００３４】
第四の態様による通信装置であって、上記第一態様又は第一の態様の任意の可能な実施形態における方法を実行することに用いられる。具体的には、該通信装置は上記第一態様又は第一の態様の任意の可能な実施形態における方法を実行するためのユニットを備える。
【００３５】
第五の態様による通信装置であって、上記第二の態様又は第二の態様の任意の可能な実施形態における方法を実行することに用いられる。具体的には、該通信装置は上記第二態様又は第二の態様の任意の可能な実施形態における方法を実行するためのユニットを備える。
【００３６】
第六の態様による通信装置であって、上記第三の態様又は第三の態様の任意の可能な実施形態における方法を実行することに用いられる。具体的には、該通信装置は上記第三態様又は第三の態様の任意の可能な実施形態における方法を実行するためのユニットを備える。
【００３７】
第七の態様による通信装置であって、メモリとプロセッサとを備え、該メモリが命令を記憶することに用いられ、該プロセッサが該メモリに記憶された命令を実行することに用いられ、且つ該プロセッサが該メモリに記憶された命令を実行すると、該実行により該プロセッサが第一の態様又は第一の態様のいずれかの可能な実施形態における方法を実行する。
【００３８】
第八の態様による通信装置であって、メモリとプロセッサとを備え、該メモリが命令を記憶することに用いられ、該プロセッサが該メモリに記憶された命令を実行することに用いられ、且つ該プロセッサが該メモリに記憶された命令を実行すると、該実行により該プロセッサが第二の態様又は第二の態様のいずれかの可能な実施形態における方法を実行する。
【００３９】
第九の態様による通信装置であって、メモリとプロセッサとを備え、該メモリが命令を記憶することに用いられ、該プロセッサが該メモリに記憶された命令を実行することに用いられ、且つ該プロセッサが該メモリに記憶された命令を実行すると、該実行により該プロセッサが第三の態様又は第三の態様のいずれかの可能な実施形態における方法を実行する。
【００４０】
第十の態様によるコンピュータ記憶媒体であって、該コンピュータ記憶媒体にプログラムコードが記憶され、該プログラムコードが上記第一の態様又は第一の態様のいずれかの可能な実施形態における方法を実行することを示すことに用いられる。
【００４１】
第十一の態様によるコンピュータ記憶媒体であって、該コンピュータ記憶媒体にプログラムコードが記憶され、該プログラムコードが上記第二の態様又は第二の態様のいずれかの可能な実施形態における方法を実行することを示すことに用いられる。
【００４２】
第十二の態様によるコンピュータ記憶媒体であって、該コンピュータ記憶媒体にプログラムコードが記憶され、該プログラムコードが上記第三の態様又は第三の態様のいずれかの可能な実施形態における方法を実行することを示すことに用いられる。
【００４３】
したがって、本出願の実施例では、時間指示情報を送信パケットに追加することにより、送信側から受信側までの遅延を正確に取得することができる。
【図面の簡単な説明】
【００４４】
【図１】本出願の実施例による通信方法の概略フローチャートである。
【図２】本出願の実施例による通信装置の概略ブロック図である。
【図３】本出願の実施例による通信装置の概略ブロック図である。
【図４】本出願の実施例による通信装置の概略ブロック図である。
【図５】本出願の実施例による通信装置の概略ブロック図である。
【発明を実施するための形態】
【００４５】
本発明の実施例の技術的解決策をより明確に説明するために、以下に実施例又は従来技術の記述において必要な図面を簡単に説明し、明らかに、以下に記載される図面が本発明のいくつかの実施例だけであり、当業者であれば、創造的な労力を要することなく、これらの図面に基づいて他の図面を得ることができる。
【００４６】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００４７】
理解すべきものとして、本発明の技術的解決策は、様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ）システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｕｔｉｏｎ）システム、高度な長期進化型（ＬＴＥ−Ａ：Ａｄｖａｎｃｅｄ  ｌｏｎｇ  ｔｅｒｍ  ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇなどに応用されてもよい。
【００４８】
いくつかの実施例では、端末直接接（Ｄ２Ｄ：Ｄｅｖｉｃｅ  ｔｏ  Ｄｅｖｉｃｅ）通信は車間（Ｖ２Ｖ：Ｖｅｈｉｃｌｅ  ｔｏ  Ｖｅｈｉｃｌｅ）通信、又はＶ２Ｘ通信を｀指すことができる。Ｖ２Ｘ通信では、Ｘは無線受信及び送信能力を有しているいかなるデバイスを広く指すことができ、例えば遅く移動する無線デバイス、速く移動する車載デバイス、又は無線送信及び受信能力を有しているネットワーク制御ノードであるがこれらに限定されない。当然、本出願の実施例はＤ２Ｄ通信ではなく、端末とセルラネットワークとの間の通信に用いられてもよい。
【００４９】
本発明の実施例では、端末装置はアクセス端末、加入者ユニット、加入者局、移動局、移動サイト、遠隔局、遠隔端末、モバイル装置、ユーザ端末、端末、無線通信装置、ユーザエージェント又はユーザ装置と呼ばれても良い。アクセス端末は、セルラ電話、コードレス電話、ＳＩＰ（Ｓｅｓｓｉｏｎ  Ｉｎｉｔｉａｔｉｏｎ  Ｐｒｏｔｏｃｏｌ：セッション開始プロトコル）電話、ＷＬＬ（Ｗｉｒｅｌｅｓｓ  Ｌｏｃａｌ  Ｌｏｏｐ：ワイヤレスローカルループ）局、ＰＤＡ（Ｐｅｒｓｏｎａｌ  Ｄｉｇｉｔａｌ  Ａｓｓｉｓｔａｎｔ：パーソナルデジタルアシスタント）、無線通信機能を有しているハンドヘルドデバイス、コンピューティングデバイス又は無線モデムに接続された他の処理デバイス、車載デバイス、ウェアラブルデバイス及び将来の５Ｇネットワークにおける端末装置であってもよい。ネットワーク装置は移動デバイスとの通信に用いられてもよく、ネットワーク装置はＧＳＭ（Ｇｌｏｂａｌ  Ｓｙｓｔｅｍ  ｏｆ  Ｍｏｂｉｌｅ  ｃｏｍｍｕｎｉｃａｔｉｏｎ：グローバルモバイル通信システム）又はＣＤＭＡ（Ｃｏｄｅ  Ｄｉｖｉｓｉｏｎ  Ｍｕｌｔｉｐｌｅ  Ａｃｃｅｓｓ：符号分割多重アクセス）におけるＢＴＳ（Ｂａｓｅ  Ｔｒａｎｓｃｅｉｖｅｒ  ｓｔｔｉｏｎ：基地局）であってもよいし、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多重アクセス）におけるＮＢ（ＮｏｄｅＢ：基地局）であってもよいし、ＬＴＥ（Ｌｏｎｇ  Ｔｅｒｍ  Ｅｖｏｌｕｔｉｏｎ：長期進化）におけるｅＮＢ又はｅＮｏｄｅＢ（Ｅｖｏｌｕｔｉｏｎａｌ  Ｎ  ｏｄｅ  Ｂ：進化型基地局）、又は中継局又はアクセスポイント、又は車載デバイス、ウェアラブルデバイス及び将来の５Ｇネットワークにおけるネットワーク装置であってもよい。
【００５０】
図１は本出願の実施例による通信方法１００の概略フローチャートである。図１に示すように、該通信方法１００は１１０、１２０、１３０と１４０を含む。
【００５１】
１１０で、送信側は、時間指示情報を送信パケットに追加し、前記時間指示情報が受信側が該送信側から該受信側までの遅延を取得することに用いられる。
【００５２】
選択可能に、該送信パケットは、パケットデータ集約プロトコル（ＰＤＣＰ：Ｐａｃｋｅｔ  Ｄａｔａ  Ｃｏｎｖｅｒｇｅｎｃｅ  Ｐｒｏｔｏｃｏｌ）層パケット、無線リンク制御（ＲＬＣ：Ｒａｄｉｏ  Ｌｉｎｋ  Ｃｏｎｔｒｏｌ）層パケット又はメディアアクセス制御（ＭＡＣ：Ｍｅｄｉａ  Ａｃｃｅｓｓ  Ｃｏｎｔｒｏｌ）層パケットである。
【００５３】
選択可能に、該送信パケットはデータパケット又は専用遅延検出パケットである。
【００５４】
１２０で、該送信側は該受信側へ該送信パケットを送信する。
【００５５】
選択可能に、送信側は、該送信側から該受信側までの遅延に対応するサービスのサービス品質（ＱｏＳ：Ｑｕａｌｉｔｙ  ｏｆ  Ｓｅｒｖｉｃｅ）を取得する必要があることを確定し、対応するサービス品質ＱｏＳに従い、該送信側は該受信側へ該送信パケットを送信する。
【００５６】
１３０で、受信側は送信側から送信された送信パケットを受信し、該送信パケットが時間指示情報を含む。
【００５７】
ここで、受信側は時間指示情報を解析するのは、送信側により時間指示情報を追加する同じ層で行い、例えば、送信側がＭＡＣ層に時間指示情報を追加する場合、受信側はＭＡＣ層に時間指示情報を解析する。
【００５８】
１４０で、該時間指示情報に基づき、該受信側は該送信側から該受信側までの遅延を確定する。
【００５９】
選択可能に、本出願の実施例では、送信側は複数の経路を介して該送信パケットを送信することができ、受信側は該送信側から複数の経路を介して送信された該データパケットを受信し、該複数の経路のうちの各径路の遅延を確定する。ここで、送信パケットは該送信パケットに対応する経路の経路情報を含むことができ、又は、送信パケットが経由する中間ノードは経路の経路情報をパケットに追加する。
【００６０】
選択可能に、本出願の実施例では、送信側から送信された送信パケットに含まれる時間指示情報は該送信側が該送信パケットを処理する開始時点を含むことができ、受信側は該送信パケットを処理する終了時点と該開始時点の差に基づき、送信側から受信側までの遅延を確定することができる。ここで、送信側が該送信パケットを処理する開始時点は該パケットを得る時点又は該パケットを生成し始める時点を指し、受信側が該送信パケットを処理する終了時点は該パケットを解析した時点を指すことができる。
【００６１】
選択可能に、上記開始時点と終了時点は絶対時間、例えば世界統一時間（ＵＴＣ：Ｃｏｏｒｄｉｎａｔｅｄ  Ｕ  ｎｉ  ｖｅｒｓａｌ  Ｔｉｍｅ）、北斗とＧＰＳに対応する絶対時間であってもよく、そのため終了時点と開始時点の差を送信側から受信側までの遅延として直接使用することができる。
【００６２】
上記開始時点と終了時点は絶対時間でなくてもよく、例えば、通信システムに定義された時間、例えばサブフレーム又はタイムスロットに示される時間であってもよく、そのため送信側と受信側の同時時間偏差、及び終了時点と開始時点の差に基づき、送信側から受信側までの遅延を確定する必要がある。
【００６３】
ここで、送信側と受信側の同期時間偏差は送信側から受信側までの任意の二つのノードの間の同期時間偏差に基づいて計算されてもよい。その中、中間ノードの前のノードが該中間ノードと同期していない場合、該ノードは前のノードとの同期時間偏差を確定し、且つ送信パケットに該同期時間偏差を記録することができる。
【００６４】
例えば、送信側から受信側まではノード１とノード２を経由する必要があり、そのためノード１は送信パケットを受信した後、送信側とノード１との同期時間偏差を取得し、送信パケットに記録することができ、ノード２は送信パケットを受信した後、ノード１とノード２との同期時間偏差を取得し、送信パケットに記録することができ、ここで、ノード１とノード２との同期時間偏差がこの前の同期時間偏差と積算されて送信パケットに記録することができ、即ちノード１とノード２との同期時間偏差とこの前の同期時間偏差を加算し、記録された同期時間偏差を加算された同期時間偏差に変更し、又は、ノード１とノード２との同期時間偏差が一つの情報フィールドに個別に記録されてもよく、受信側は該送信パケットを受信した後、ノード２と受信側との同期時間偏差を取得し、送信パケットの記録に基づいて送信側とノード２との同期時間偏差を取得することができ、それによって送信側と受信側との同期時間偏差を取得することができる。
【００６５】
選択可能に、送信側は該送信パケットを処理する処理遅延を送信パケットに追加することができ、中間ノードは、送信パケットを受信した後、処理遅延及び前のノードとの伝送遅延を送信パケットに追加することができ、その中、中間ノードは処理遅延と伝送遅延を送信パケットの異なる情報フィールドに個別に記録することができ、又は、中間ノードは、該ノードによって得られた処理遅延と伝送遅延の和を情報フィールドに記録することができるが、他のノードによって記録された時間と加算しなく、又は、中間ノードは処理遅延と他のノードによって得られた処理遅延を加算して一つの情報フィールドに記録し、及び伝送遅延と他のノードによって得られた伝送遅延を別の情報フィールドに記録することができ、又は中間ノードは伝送遅延と処理遅延の和と送信パケットによって記録された処理遅延と伝送遅延の和を加算し、記録を更新する。送信側は、送信パケットを受信した後、送信パケットの時間指示情報の指示に応じて送信側と受信側との遅延を得ることができる。
【００６６】
理解を容易にするために、以下にいくつかの実施形態を挙げていくつかの時間指示情報の記録方式を説明する。
【００６７】
一つの実施形態では、該時間指示情報は該送信側が該送信パケットを処理する処理遅延、送信側から該受信側までの任意の中間点が該送信パケットを処理する処理遅延、及び任意の中間ノードによって取得されたその前のノードとの伝送遅延を含み、ここで、異なるノードが該送信パケットを処理する処理遅延が該送信パケットの異なる情報フィールドに含まれ、異なるノードによって取得された伝送遅延が該送信パケットの異なる情報フィールドに含まれ、同一のノードの処理遅延と伝送遅延が該送信パケットの異なる情報フィールドに含まれる。この場合、受信側は受信側が該送信パケットを処理する処理遅延、及び受信側と該受信側の前のノードとの伝送遅延を確定し、該送信側が該送信パケットを処理する処理遅延、任意の中間ノードが該送信パケットを処理する処理遅延、任意の中間ノードによって取得されたその前のノードとの伝送遅延、受信側が該送信パケットを処理する処理遅延、及び受信側と該受信側の前のノードとの伝送遅延という五者の和に基づき、該送信側から該受信側までの遅延を確定する。
【００６８】
例えば、送信側から受信側まではノード１とノード２を経由する必要があり、送信側が送信パケットを処理する処理遅延（１ｍｓ）が情報フィールドに記録され、ノード１は送信パケットを受信し、送信側からノード１までの伝送遅延０．５ｍｓ、及び該送信パケットを処理する処理遅延１ｍｓを取得し、それぞれ０．５ｍｓと１ｍｓを異なる情報フィールドに記録し、ノード２は送信パケットを受信し、ノード１からノード２までの伝送遅延０．６ｍｓ、及び該送信パケットを処理する処理遅延１．１ｍｓを取得し、それぞれ該０．６ｍｓと１．１ｍｓを異なる情報フィールドに記録し、受信側は該送信パケットを受信し、ノード２から受信側までの伝送遅延０．４ｍｓと該送信パケットを処理する処理遅延１．２ｍｓを取得し、且つ送信パケットに記録された１ｍｓ、１ｍｓ、０．５ｍｓ、０．６ｍｓ、１．１ｍｓを取得し、１ｍｓ、１ｍｓ、０．５ｍｓ、０．６ｍｓ、１．１ｍｓ、０．４ｍｓ、及び１．２ｍｓを加算した時間値を送信側から受信側までの遅延の確定に用いる。
【００６９】
一つの実施形態では、該時間指示情報は該送信側が該送信パケットを処理する処理遅延、及び送信側から該受信側までの任意の中間ノードが該送信パケットを処理する処理遅延とそれと前のノードとの伝送遅延との和を含み、ここで、異なるノードが該送信パケットを処理する処理遅延と取得された伝送遅延との和が該送信パケットの異なる情報フィールドに含まれる。この場合、該受信側は、受信側が該送信パケットを処理する処理遅延、及び受信側と該受信側の前のノードとの伝送遅延を確定し、該送信側が該送信パケットを処理する処理遅延、送信側から該受信側の前のノードまでの任意のノードが該送信パケットを処理する処理遅延と取得された前のノードとの伝送遅延との和、受信側が該送信パケットを処理する処理遅延、及び受信側と該受信側の前のノードとの伝送遅延という四者の和に基づき、該送信側から該受信側までの遅延を確定する。
【００７０】
例えば、送信側から受信側までノード１とノード２を経由する必要があり、送信側が送信パケットを処理する処理遅延（例えば１ｍｓ）が情報フィールドに記録され、ノード１は送信パケットを受信し、送信側からノード１までの伝送遅延０．５ｍｓ、該送信パケットを処理する処理遅延１ｍｓを取得し、１．５ｍｓを情報フィールドに記録し、ノード２は送信パケットを受信し、ノード１からノード２までの伝送遅延０．６ｍｓ、及び該送信パケットを処理する処理遅延１．１ｍｓを取得し、１．７ｍｓを送信側と異なる情報フィールドに記録し、受信側は該送信パケットを受信し、ノード２から受信側までの伝送遅延０．４ｍｓと該送信パケットを処理する処理遅延１．２ｍｓを取得し、且つ送信パケットに記録された１ｍｓ、１．５ｍｓと１．７ｍｓを取得し、１ｍｓ、１．５ｍｓ、１．７ｍｓ、０．４ｍｓと１．２ｍｓを加算した時間値を送信側から受信側までの遅延の確定に用いる。
【００７１】
一つの実現方式では、該時間指示情報は該送信側が該送信パケットを処理する処理遅延と該送信側から該受信側までの中間ノードが該送信パケットを処理する処理遅延と任意の中間ノードによって取得されたその前のノードとの伝送遅延との和を含む。該受信側は該受信側が該送信パケットを送信する処理遅延、及び該受信側の前のノードから該受信側までの伝送遅延を確定し、時間指示情報に含まれる該送信側が該送信パケットを処理する処理遅延と該送信側から該受信側までの中間ノードが該送信パケットを処理する処理遅延と任意の中間ノードによって取得されたその前のノードとの伝送遅延との和、該受信側が該送信パケットを処理する処理遅延、及び該受信側の前のノードから該受信側までの伝送遅延という三者の和に基づき、該送信側から該受信側までの遅延を確定する。
【００７２】
例えば、送信側から受信側まではノード１とノード２を経由する必要があり、送信側が送信パケットを処理する処理遅延（例えば１ｍｓ）が情報フィールドに記録され、ノード１は送信パケットを受信し、送信側からノード１までの伝送遅延０．５ｍｓ、及び該送信パケットを処理する処理遅延１ｍｓを取得し、送信側によって記録された１ｍｓを２．５ｍｓに更新し、ノード２は送信パケットを受信し、ノード１からノード２までの伝送遅延０．６ｍｓ、及び該送信パケットを処理する処理遅延１．１ｍｓを取得し、ノード１によって記録された２．５ｍｓを４．２ｍｓに更新し、受信側は該送信パケットを受信し、ノード２から受信側までの伝送遅延０．４ｍｓと該送信パケットを処理する処理遅延１．２ｍｓを取得し、送信パケットに記録された４．２ｍｓを取得し、４．２ｍｓ、０．４ｍｓと１．２ｍｓを加算した時間値を送信側から受信側までの遅延の確定に用いる。
【００７３】
各ノードによって取得された処理遅延及び／又は伝送遅延が絶対時間によって得られたものではない場合、送信側と受信側の同期時間偏差を取得する必要があり、その中、送信側と受信側の同期時間偏差が送信側から受信側までの任意の二つのノードの間の同期時間偏差に基づいて計算されてもよい。ここで、中間ノードの前のノードが該中間ノードと同期していない場合、該ノードは、前のノードとの同期時間偏差を確定し、送信パケットに該同期時間偏差を記録することができる。
【００７４】
ここで、各ノードは、送信パケットに前のノードとの同期時間偏差を記録する時に、個別に記録してもよいし、処理遅延及び／又は伝送遅延と組み合わせて記録してもよい。
【００７５】
選択可能に、該送信パケットはさらに遅延要求、受信側リストとフィードバック対象のうちの少なくとも一つを含む。
【００７６】
ここで、該送信パケットに遅延要求が含まれる場合、受信側は、遅延が遅延要求を満たすか否かを判定し、フィードバック対象へ該送信側から該受信側までの遅延が遅延要求を満たすか否かをフィードバックすることができる。
【００７７】
ここで、該送信パケットに遅延要求が含まれていない場合、受信側は、フィードバック対象へ送信側から受信側までの遅延、又は他の方式によって取得された遅延要求（例えば、ネットワーク装置に配置された遅延要求）を直接フィードバックすることができ、受信側は、遅延が遅延要求を満たすか否かを判定し、且つフィードバック対象へ該送信側から該受信側までの遅延が遅延要求を満たすか否かをフィードバックすることができる。
【００７８】
ここで、遅延のフィードバック対象は送信側であってもよいし、サードパーティエンティティ、例えばネットワーク装置であってもよい。
【００７９】
選択可能に、該送信側はサードパーティエンティティから送信された配置情報を受信し、該配置情報が該受信側へ該時間指示情報を含む該送信パケットを送信するように該送信側に指示することに用いられる。
【００８０】
選択可能に、送信側はＵｕインタフェース又は端末直接接続インタフェースを介して該受信側へ該送信パケットを送信する。
【００８１】
したがって、本出願の実施例では、送信パケットに時間指示情報を追加することにより、送信側から受信側までの遅延を正確に取得することができる。
【００８２】
図２は本出願の実施例による通信装置２００の概略ブロック図である。図２に示すように、該通信装置は処理ユニット２１０と送信ユニット２２０を備える。ここで、処理ユニット２１０は、時間指示情報を送信パケットに追加し、前記時間指示情報が受信側が前記通信装置２００から前記受信側までの遅延を取得するように構成され、送信ユニット２２０は前記受信側へ前記送信パケットを送信するように構成される。
【００８３】
選択可能に、前記送信パケットはパケットデータ集約プロトコル（ＰＤＣＰ）層パケット、無線リンク制御（ＲＬＣ）層パケット又はメディアアクセス制御（ＭＡＣ）層パケットである。
【００８４】
選択可能に、前記時間指示情報は前記通信装置２００が前記送信パケットを処理する開始時点、又は前記通信装置２００が前記送信パケットを処理する処理遅延を含む。
【００８５】
選択可能に、前記処理ユニット２１０はさらに前記通信装置２００から前記受信側までの遅延に対応するサービスのサービス品質ＱｏＳを取得する必要があることを確定するように構成され、前記送信ユニット２２０は具体的に対応するＱｏＳに従い、前記受信側へ前記送信パケットを送信するように構成される。
【００８６】
選択可能に、前記送信ユニット２２０は具体的に、
複数の経路を介して前記受信側へ前記送信パケットを送信するように構成される。
【００８７】
選択可能に、前記送信パケットはデータパケット又は専用遅延検出パケットである。
【００８８】
選択可能に、前記送信パケットはさらに遅延要求、受信側リストとフィードバック対象のうちの少なくとも一つを含む。
【００８９】
選択可能に、図２に示すように、前記通信装置２００はさらに受信ユニット２３０を備え、前記受信ユニット２３０は、
前記受信側のフィードバックメッセージを受信するように構成され、前記フィードバックメッセージが前記通信装置２００から前記受信側までの遅延、又は前記通信装置２００から前記受信側までの遅延が遅延要求を満たすか否かを示すことに用いられる。
【００９０】
選択可能に、図２に示すように、前記通信装置２００はさらに受信ユニット２３０を備え、前記受信ユニット２３０は、
サードパーティエンティティから送信された配置情報を受信するように構成され、前記配置情報が前記受信側へ前記時間指示情報を含む前記送信パケットを送信するように前記通信装置２００に指示することに用いられる。
【００９１】
選択可能に、前記送信ユニット２２０は具体的にＵｕインタフェース又は端末直接接続インタフェースを介して前記受信側へ前記送信パケットを送信するように構成される。
【００９２】
理解すべきものとして、該通信装置２００は上記送信側に対応し、該送信側の対応する機能を実現することができ、簡潔するために、ここで説明を省略する。
【００９３】
図３は本出願の実施例による通信装置３００の概略ブロック図である。図３に示すように、該通信装置３００は受信ユニット３１０と処理ユニット３２０とを備える。受信ユニット３１０は送信側から送信された送信パケットを受信するように構成され、前記送信パケットが時間指示情報を含み、処理ユニット３２０は前記時間指示情報に基づき、前記送信側から前記通信装置３００までの遅延を確定するように構成される。
【００９４】
選択可能に、前記送信パケットはパケットデータ集約プロトコル（ＰＤＣＰ）層パケット、無線リンク制御（ＲＬＣ）層パケット又はメディアアクセス制御（ＭＡＣ）層パケットである。
【００９５】
選択可能に、前記時間指示情報は、前記送信側が前記送信パケットを処理する開始時点を含み、前記処理ユニット３２０は具体的に、前記送信側が前記送信パケットを処理する終了時点を確定し、前記終了時点と前記開始時点の差に基づき、前記送信側から前記通信装置３００までの遅延を確定するように構成される。
【００９６】
選択可能に、前記時間指示情報は前記送信側が前記送信パケットを処理する処理遅延、送信側から前記通信装置３００までの任意の中間ノードが前記送信パケットを処理する処理遅延、及び任意の中間ノードによって取得されたその前のノードとの伝送遅延を含み、
前記処理ユニット３２０は具体的に通信装置３００が前記送信パケットを処理する処理遅延、及び通信装置３００と前記通信装置３００の前のノードとの伝送遅延を確定し、前記送信側が前記送信パケットを処理する処理遅延、送信側から前記通信装置３００までの任意の中間ノードが前記送信パケットを処理する処理遅延、前記任意の中間ノードによって取得されたその前のノードとの伝送遅延、前記通信装置３００が前記送信パケットを処理する処理遅延、及び通信装置３００と前記通信装置３００の前のノードとの伝送遅延という五者の和に基づき、前記送信側から前記通信装置３００までの遅延を確定するように構成される。
【００９７】
選択可能に、異なるノードが前記送信パケットを処理する処理遅延が前記送信パケットの異なる情報フィールドに含まれ、異なるノードによって取得されたその前のノードとの伝送遅延が前記送信パケットの異なる情報フィールドに含まれ、同一のノードによって取得された処理遅延と伝送遅延が前記送信パケットの異なる情報フィールドに含まれる。
【００９８】
選択可能に、前記時間指示情報は前記送信側が前記送信パケットを処理する処理遅延、及び送信側から前記通信装置３００までの任意の中間ノードが前記送信パケットを処理する処理遅延と取得されたその前のノードとの伝送遅延との和を含み、
前記処理ユニット３２０は具体的に通信装置３００が前記送信パケットを処理する処理遅延、及び通信装置３００と前記受信側３００の前のノードとの伝送遅延を確定し、前記送信側が前記送信パケットを処理する処理遅延、前記任意の中間ノードが前記送信パケットを処理する処理遅延と取得されたその前のノードとの伝送遅延の和、通信装置３００が前記送信パケットを処理する処理遅延、及び通信装置３００と前記通信装置３００の前のノードとの伝送遅延という四者の和に基づき、前記送信側から前記通信装置３００までの遅延を確定するように構成される。
【００９９】
選択可能に、異なるノードが前記送信パケットを処理する処理遅延と取得されたその前のノードとの伝送遅延の和が前記送信パケットの異なる情報フィールドに含まれる。
【０１００】
選択可能に、前記時間指示情報は前記送信側が前記送信パケットを処理する処理遅延と前記送信側から前記通信装置３００までの任意の中間ノードが前記送信パケットを処理する処理遅延と任意の中間ノードとその前のノードとの伝送遅延との和を含み、
前記処理ユニット３２０は具体的に前記通信装置３００が前記送信パケットを処理する処理遅延、及び前記通信装置３００の前のノードから前記通信装置３００までの伝送遅延を確定し、前記送信側が前記送信パケットを処理する処理遅延と前記送信側から前記通信装置３００までの任意の中間ノードが前記送信パケットを処理する処理遅延と任意の中間ノードとその前のノードとの伝送遅延との和、前記送信側が前記送信パケットを処理する処理遅延、及び前記通信装置３００の前のノードから前記通信装置３００までの伝送遅延という三者の和に基づき、前記送信側から前記通信装置３００までの遅延を確定するように構成される。
【０１０１】
選択可能に、前記遅延が前記送信側から前記通信装置３００までの同期時間偏差を含む。
【０１０２】
選択可能に、前記処理ユニット３２０はさらに、
前記時間指示情報に記録された、前記通信装置３００の前の隣接ノードの同期時間偏差、及び前記通信装置３００の前のノードと前記通信装置３００の同期時間偏差に基づき、前記送信側から前記通信装置３００までの同期時間偏差を計算するように構成される。
【０１０３】
選択可能に、前記受信ユニット３１０は具体的に前記送信側から複数の経路を介して送信された前記送信パケットを受信するように構成され、
前記処理ユニット３２０は具体的に前記送信側から前記通信装置３００までの前記複数の経路のうちの各径路の遅延を確定するように構成される。
【０１０４】
選択可能に、図３に示すように、さらに送信ユニット３３０を備え、
前記処理ユニット３２０はさらに前記送信側から前記通信装置３００までの遅延が遅延要求を満たすか否かを確定するように構成され、前記送信ユニット３３０は前記送信側又はサードパーティエンティティに、前記送信側から前記通信装置３００までの遅延が遅延要求を満たすか否かを示すためのフィードバックメッセージを送信するように構成され、又は
前記送信ユニット３３０は前記送信側又はサードパーティへ前記遅延を送信するように構成される。
【０１０５】
選択可能に、前記送信パケットはさらに遅延要求、通信装置３００リストとフィードバック対象のうちの少なくとも一つを含む。
【０１０６】
選択可能に、前記受信ユニット３１０は具体的に、
Ｕｕインタフェース又は端末直接接続インタフェースを介して前記送信パケットを受信するように構成される。
【０１０７】
理解すべきものとして、該通信装置３００は上記受信側に対応し、該受信側の対応する機能を実現することができ、簡潔するために、ここで説明を省略する。
【０１０８】
図４は本出願の実施例による通信装置４００の概略ブロック図である。図４に示すように、該通信装置４００は受信ユニット４１０、処理ユニット４２０と送信ユニット４３０を備える。その中、受信ユニット４１０は、送信側から送信された、宛先が受信側である送信パケットを受信するように構成され、処理ユニット４２０は、前記送信パケットを処理する処理遅延と前のノードから前記通信装置までの伝送遅延を前記送信パケットに追加するように構成され、送信ユニット４３０は、前記送信パケットを前記受信側に送信するように構成される。
【０１０９】
選択可能に、前記処理ユニット４２０はさらに前記通信装置の前のノードが前記通信装置と同期していない場合、前記通信装置と前記前のノードの同期時間偏差を確定し、前記同期時間偏差を前記送信パケットに追加するように構成される。
【０１１０】
選択可能に、前記処理ユニット４２０は具体的に、
他のノードによって追加された処理遅延及び伝送遅延と異なる情報フィールドに、前記通信装置によって取得された処理遅延及び伝送遅延を追加するように構成され、前記通信装置によって追加された処理遅延と伝送遅延が異なる情報フィールドに位置し、又は
他のノードによって追加された処理遅延と伝送遅延の和と異なる情報フィールドに、前記通信装置によって取得された処理遅延と伝送遅延の和を追加するように構成され、又は
前記送信パケットにおける既存の時間指示情報に示される時間値を積算することにより、前記処理遅延と伝送遅延の和を追加するように構成され、既存の時間指示情報に示される時間値が前記送信側が前記送信パケットを処理する処理遅延、前記送信側から前記通信装置までの中間ノードが前記送信パケットを処理する処理遅延と前記送信側から前記通信装置の前のノードまでの伝送遅延の和を表す。
【０１１１】
理解すべきものとして、該通信装置４００は上記中間ノードに対応し、該中間ノードの対応する機能を実現することができ、簡潔するために、ここで説明を省略する。
【０１１２】
図５は本出願の実施例による通信装置５００の概略ブロック図である。図５に示すように、該通信装置５００はプロセッサ５１０、メモリ５２０と送受信器５３０を備え、選択可能に、該通信装置はさらにプロセッサ５１０、メモリ５２０と送受信機５３０を相互に接続するためのバスシステム５４０を備える。メモリ５２０は命令を記憶するように構成され、プロセッサ５１０はメモリ５２０に記憶された命令を呼び出して対応する操作を実行するように構成される。
【０１１３】
選択可能に、図５に示す通信装置５００は本出願の実施例に係る送信側の対応する操作を実行することができ、又は、本出願の実施例に係る受信側の対応する操作を実行ことができ、又は、本出願の実施例に係る中間ノードの対応する操作を実行することができる。
【０１１４】
理解を容易にするために、以下に通信装置５００が送信側の対応する操作を実行することを説明する。
【０１１５】
プロセッサ５１０は、メモリ５２０でのコードを呼び出して以下の操作を実行する：時間指示情報を送信パケットに追加し、前記時間指示情報が受信側が前記送信側から前記受信側までの遅延を取得することに用いられ、送受信機５３０によって前記受信側へ前記送信パケットを送信する。
【０１１６】
選択可能に、前記送信パケットは、パケットデータ集約プロトコル（ＰＤＣＰ）層パケット、無線リンク制御（ＲＬＣ）層パケット又はメディアアクセス制御（ＭＡＣ）層パケットである。
【０１１７】
選択可能に、前記時間指示情報は、前記送信側が前記送信パケットを送信する開始時点、又は前記送信側が前記送信パケットを処理する処理遅延を含む。
【０１１８】
選択可能に、プロセッサ５１０は、メモリ５２０でのコードを呼び出して具体的に以下の操作を実行する：前記送信側から前記受信側までの遅延に対応するサービスのサービス品質ＱｏＳを取得する必要があることを確定することを含み、対応するＱｏＳに従い、送受信機５３０によって前記受信側へ前記送信パケットを送信する。
【０１１９】
選択可能に、プロセッサ５１０は、メモリ５２０でのコードを呼び出して具体的に以下の操作を実行する：送受信機５３０によって複数の経路を介して前記受信側へ前記送信パケットを送信する。
【０１２０】
選択可能に、前記送信パケットはデータパケット又は専用遅延検出パケットである。
【０１２１】
選択可能に、前記送信パケットはさらに遅延要求、受信側リストとフィードバック対象のうちの少なくとも一つを含む。
【０１２２】
選択可能に、プロセッサ５１０は、メモリ５２０でのコードを呼び出して具体的に以下の操作を実行する：送受信機５３０によって前記受信側のフィードバックメッセージを受信し、前記フィードバックメッセージが前記送信側から前記受信側までの遅延、又は前記送信側から前記受信側までの遅延が遅延要求を満たすか否かを示すことに用いられる。
【０１２３】
選択可能に、プロセッサ５１０は、メモリ５２０でのコードを呼び出して以下の操作を実行する：送受信機５３０によってサードパーティエンティティから送信された配置情報を受信し、前記配置情報が前記受信側へ前記時間指示情報を含む前記送信パケットを送信するように前記送信側に指示することに用いられる。
【０１２４】
選択可能に、プロセッサ５１０は、メモリ５２０でのコードを呼び出して具体的に以下の操作を実行する：送受信機５３０によってＵｕインタフェース又は端末直接接続インタフェースを介して前記受信側へ前記送信パケットを送信する。
【０１２５】
以下に通信装置５００が受信側の対応する操作を実行することを例として説明する。
【０１２６】
プロセッサ５１０は、メモリ５２０でのコードを呼び出して以下の操作を実行する：送受信機５３０によって送信側から送信された送信パケットを受信し、前記送信パケットが時間指示情報を含み、前記時間指示情報に基づき、前記送信側から前記受信側までの遅延を確定する。
【０１２７】
選択可能に、前記送信パケットはパケットデータ集約プロトコル（ＰＤＣＰ）層パケット、無線リンク制御（ＲＬＣ）層パケット又はメディアアクセス制御（ＭＡＣ）層パケットである。
【０１２８】
選択可能に、前記時間指示情報は前記送信側が前記送信パケットを処理する開始時点を含み、
プロセッサ５１０はメモリ５２０でのコードを呼び出して以下の操作を実行する：前記送信側が前記送信パケットを処理する終了時点を確定し、前記終了時点と前記開始時点の差に基づき、前記送信側から前記受信側までの遅延を確定する。
【０１２９】
選択可能に、前記時間指示情報は前記送信側が前記送信パケットを処理する処理遅延と、送信側から前記受信側までの任意の中間ノードが前記送信パケットを処理する処理遅延と、任意の中間ノードによって取得されたその前のノードとの伝送遅延とを含み、
プロセッサ５１０はメモリ５２０でのコードを呼び出して以下の操作を実行する：受信側が前記送信パケットを処理する処理遅延、及び受信側と前記受信側の前のノードとの伝送遅延を確定し、前記送信側が前記送信パケットを処理する処理遅延、送信側から前記受信側までの任意の中間ノードが前記送信パケットを処理する処理遅延、任意の中間ノードによって取得されたその前のノードとの伝送遅延、前記受信側が前記送信パケットを処理する処理遅延、及び受信側と前記受信側の前のノードとの伝送遅延という五者の和に基づき、前記送信側から前記受信側までの遅延を確定する。
【０１３０】
選択可能に、異なるノードが前記送信パケットを処理する処理遅延が前記送信パケットの異なる情報フィールドに含まれ、異なるノードによって取得されたその前のノードとの伝送遅延が前記送信パケットの異なる情報フィールドに含まれ、同一のノードによって取得された処理遅延と伝送遅延が前記送信パケットの異なる情報フィールドに含まれる。
【０１３１】
選択可能に、前記時間指示情報は前記送信側が前記送信パケットを処理する処理遅延と、送信側から前記受信側までの任意の中間ノードが前記送信パケットを処理する処理遅延と取得されたその前のノードとの伝送遅延の和とを含み、
プロセッサ５１０はメモリ５２０でのコードを呼び出して、受信側が前記送信パケットを処理する処理遅延、及び受信側と前記受信側の前のノードとの伝送遅延を確定し、前記送信側が前記送信パケットを処理する処理遅延、前記任意の中間ノードが前記送信パケットを処理する処理遅延と取得されたその前のノードとの伝送遅延の和、受信側が前記送信パケットを処理する処理遅延、受信側と前記受信側の前のノードとの伝送遅延という四者の和に基づき、前記送信側から前記受信側までの遅延を確定する操作を実行する。
【０１３２】
選択可能に、異なるノードが前記送信パケットを処理する処理遅延と取得されたその前のノードとの伝送遅延の和が前記送信パケットの異なる情報フィールドに含まれる。
【０１３３】
選択可能に、前記時間指示情報は前記送信側が前記送信パケットを処理する処理遅延と、前記送信側から前記受信側までの任意の中間ノードが前記送信パケットを処理する処理遅延と任意の中間ノードとその前のノードとの伝送遅延の和とを含み、
プロセッサ５１０はメモリ５２０でのコードを呼び出して以下の操作を実行する：前記受信側が前記送信パケットを処理する処理遅延、及び前記受信側の前のノードから前記受信側までの伝送遅延を確定し、前記送信側が前記送信パケットを処理する処理遅延と前記送信側から前記受信側までの任意の中間ノードが前記送信パケットを処理する処理遅延と任意の中間ノードとその前のノードとの伝送遅延との和、前記送信側が前記送信パケットを処理する処理遅延、及び前記受信側の前のノードから前記受信側までの伝送遅延という三者の和に基づき、前記送信側から前記受信側までの遅延を確定する。
【０１３４】
選択可能に、前記遅延が前記送信側から前記受信側までの同期時間偏差を含む。
【０１３５】
選択可能に、プロセッサ５１０はメモリ５２０でのコードを呼び出して以下の操作を実行する：前記時間指示情報に記録された、前記受信側の前の隣接ノードの同期時間偏差、及び前記受信側の前のノードと前記受信側の同期時間偏差に基づき、前記送信側から前記受信側までの同期時間偏差を計算する。
【０１３６】
選択可能に、プロセッサ５１０はメモリ５２０でのコードを呼び出して以下の操作を実行する：前記受信側が送信側から送信された送信パケットを受信することは、送受信機５３０により、前記送信側から複数の経路を介して送信された前記送信パケットを受信することと、前記送信側から前記受信側までの前記複数の経路のうちの各径路の遅延を確定することとを含む。
【０１３７】
選択可能に、プロセッサ５１０はメモリ５２０でのコードを呼び出して以下の操作を実行する：前記送信側から前記受信側までの遅延が遅延要求を満たすか否かを確定し、送受信機５３０によって前記送信側又はサードパーティエンティティに、前記送信側から前記受信側までの遅延が遅延要求を満たすか否かを示すためのフィードバックメッセージを送信し、又は送受信機５３０により前記送信側又はサードパーティへ前記遅延を送信する。
【０１３８】
選択可能に、前記送信パケットはさらに遅延要求、受信側リストとフィードバック対象のうちの少なくとも一つを含む。
【０１３９】
選択可能に、プロセッサ５１０はメモリ５２０でのコードを呼び出して以下の操作を実行する：Ｕｕインタフェース又は端末直接接続インタフェースを介して前記送信パケットを受信する。
【０１４０】
以下に通信装置５００が中間ノードの対応する操作を実行することを例として説明する。
【０１４１】
プロセッサ５１０はメモリ５２０でのコードを呼び出して以下の操作を実行する：送受信機５３０によって送信側から送信された、宛先が受信側である送信パケットを受信し、前記送信パケットを処理する処理遅延と前のノードから前記中間ノードまでの伝送遅延を前記送信パケットに追加し、送受信機５３０によって前記送信パケットを前記受信側に送信する。
【０１４２】
選択可能に、プロセッサ５１０はメモリ５２０でのコードを呼び出して以下の操作を実行する：前記中間ノードの前のノードが前記中間ノードと同期していない場合、前記中間ノードと前記前のノードの同期時間偏差を確定し、前記同期時間偏差を前記送信パケットに追加する。
【０１４３】
選択可能に、プロセッサ５１０はメモリ５２０でのコードを呼び出して以下の操作を実行する：他のノードによって追加された処理遅延及び伝送遅延と異なる情報フィールドに、前記中間ノードによって取得された処理遅延及び伝送遅延を追加し、前記中間ノードによって追加された処理遅延と伝送遅延が異なる情報フィールドに位置し、又は
他のノードによって追加された処理遅延と伝送遅延の和と異なる情報フィールドに、前記中間ノードによって取得された処理遅延と伝送遅延の和を追加し、又は
前記送信パケットにおける既存の時間指示情報に示される時間値を積算することにより、前記処理遅延と伝送遅延の和を追加し、既存の時間指示情報に示される時間値が前記送信側が前記送信パケットを処理する処理遅延、前記送信側から前記中間ノードまでの中間ノードが前記送信パケットを処理する処理遅延と前記送信側から前記中間ノードの前のノードまでの伝送遅延の和を表す。
【０１４４】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるか否かは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１４５】
当業者は、便利且つ簡潔で説明するために、上述したシステム、装置とユニットの具体的な動作プロセスについて上記方法の実施例における対応するプロセスを参照でき、ここでは説明を省略することを明確に理解することができる。
【０１４６】
本出願が提供するいくつかの実施例では、開示されるシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１４７】
分離部材として説明された前記ユニットは物理的に分離するものであってもよくまたは物理的に分離するものでなくてもよく、ユニットとして表示される部材は物理的ユニットであってもよくまたは物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１４８】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１４９】
前記機能はソフトウェア機能ユニットの形態で実現され且つ独立した製品として販売又は使用される場合、一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１５０】
以上は本発明の具体的な実施形態に過ぎず、本発明の保護範囲はこれに限られず、本分野の当業者が本発明に開示される技術範囲で容易に想到できる変化又は置き換えは全て本発明の保護範囲以内に含まれるべきである。そのため、本発明の保護範囲は、特許請求の保護範囲に準拠するべきである。
【図１】
2019525504.tif 000003
【図２】
2019525504.tif 000004
【図３】
2019525504.tif 000005
【図４】
2019525504.tif 000006
【図５】
2019525504.tif 000007
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
通信方法であって、
送信側が時間指示情報を送信パケットに追加し、前記時間指示情報が受信側が前記送信側から前記受信側までの遅延を取得することに用いられることと、
前記送信側が前記受信側へ前記送信パケットを送信することとを含む、前記通信方法。
【請求項２】
前記送信パケットは、パケットデータ集約プロトコル（ＰＤＣＰ）層パケット、無線リンク制御（ＲＬＣ）層パケット又はメディアアクセス制御（ＭＡＣ）層パケットであり、又は、
前記送信パケットはデータパケット又は専用遅延検出パケットであることを特徴とする
請求項１に記載の方法。
【請求項３】
前記時間指示情報は、前記送信側が前記送信パケットを処理する開始時点、又は前記送信側が前記送信パケットを処理する処理遅延を含むことを特徴とする
請求項１又は２に記載の方法。
【請求項４】
前記送信側が前記受信側へ前記送信パケットを送信する前に、前記方法はさらに、
前記送信側が前記送信側から前記受信側までの遅延に対応するサービスのサービス品質ＱｏＳを取得する必要があることを確定することを含み、
前記送信側が前記受信側へ前記送信パケットを送信することは、
対応するＱｏＳに従い、前記送信側が前記受信側へ前記送信パケットを送信することを含むを特徴とする
請求項１−３のいずれか一項に記載の方法。
【請求項５】
前記送信側が前記受信側へ前記送信パケットを送信することは、
前記送信側が複数の経路を介して前記受信側へ前記送信パケットを送信すること、又は、
Ｕｕインタフェース又は端末直接接続インタフェースを介して前記受信側へ前記送信パケットを送信すること、
を含むことを特徴とする
請求項１−４のいずれか一項に記載の方法。
【請求項６】
前記送信側が前記受信側のフィードバックメッセージを受信し、前記フィードバックメッセージが前記送信側から前記受信側までの遅延、又は前記送信側から前記受信側までの遅延が遅延要求を満たすか否かを示すことに用いられることを特徴とする
請求項１−５のいずれか一項に記載の方法。
【請求項７】
通信方法であって、
受信側が送信側から送信された送信パケットを受信し、前記送信パケットが時間指示情報を含むことと、
前記時間指示情報に基づき、前記受信側が前記送信側から前記受信側までの遅延を確定することとを含む、前記通信方法。
【請求項８】
前記時間指示情報は前記送信側が前記送信パケットを処理する開始時点を含み、
前記方法はさらに前記受信側が前記受信側が前記送信パケットを処理する終了時点を確定することを含み、
前記受信側が前記送信側から前記受信側までの遅延を確定することは、
前記終了時点と前記開始時点の差に基づき、前記送信側から前記受信側までの遅延を確定することを含むことを特徴とする
請求項７に記載の方法。
【請求項９】
前記時間指示情報は前記送信側が前記送信パケットを処理する処理遅延、送信側から前記受信側までの任意の中間ノードが前記送信パケットを処理する処理遅延、及び任意の中間ノードによって取得されたその前のノードとの伝送遅延を含み、
前記方法はさらに前記受信側が受信側が前記送信パケットを処理する処理遅延、及び受信側と前記受信側の前のノードとの伝送遅延を確定することを含み、
前記受信側が前記送信側から前記受信側までの遅延を確定することは、
前記送信側が前記送信パケットを処理する処理遅延、送信側から前記受信側までの任意の中間ノードが前記送信パケットを処理する処理遅延、任意の中間ノードによって取得されたその前のノードとの伝送遅延、前記受信側が前記送信パケットを処理する処理遅延、及び受信側と前記受信側の前のノードとの伝送遅延という五者の和に基づき、前記送信側から前記受信側までの遅延を確定することを含むことを特徴とする
請求項７に記載の方法。
【請求項１０】
異なるノードが前記送信パケットを処理する処理遅延が前記送信パケットの異なる情報フィールドに含まれ、異なるノードによって取得されたその前のノードとの伝送遅延が前記送信パケットの異なる情報フィールドに含まれ、同一のノードによって取得された処理遅延と伝送遅延が前記送信パケットの異なる情報フィールドに含まれることを含むことを特徴とする
請求項９に記載の方法。
【請求項１１】
前記時間指示情報は前記送信側が前記送信パケットを処理する処理遅延、及び送信側から前記受信側までの任意の中間ノードが前記送信パケットを処理する処理遅延と取得されたその前のノードとの伝送遅延との和を含み、
前記方法はさらに前記受信側が受信側が前記送信パケットを処理する処理遅延、及び受信側と前記受信側の前のノードとの伝送遅延を確定することを含み、
前記受信側が前記送信側から前記受信側までの遅延を確定することは、
前記送信側が前記送信パケットを処理する処理遅延、前記任意の中間ノードが前記送信パケットを処理する処理遅延と取得されたその前のノードとの伝送遅延との和、受信側が前記送信パケットを処理する処理遅延、及び受信側と前記受信側の前のノードとの伝送遅延という四者の和に基づき、前記送信側から前記受信側までの遅延を確定することを含み、
異なるノードが前記送信パケットを処理する処理遅延と取得されたその前のノードとの伝送遅延の和が前記送信パケットの異なる情報フィールドに含まれることを特徴とする
請求項７に記載の方法。
【請求項１２】
前記時間指示情報は、前記送信側が前記送信パケットを処理する処理遅延と前記送信側から前記受信側までの任意の中間ノードが前記送信パケットを処理する処理遅延と任意の中間ノードとその前のノードとの伝送遅延との和を含み、
前記方法はさらに前記受信側が前記受信側が前記送信パケットを処理する処理遅延、及び前記受信側の前のノードから前記受信側までの伝送遅延を確定することを含み、
前記受信側が前記受信側から前記受信側までの遅延を確定することは、
前記送信側が前記送信パケットを処理する処理遅延と前記送信側から前記受信側までの任意の中間ノードが前記送信パケットを処理する処理遅延と任意の中間ノードとその前のノードとの伝送遅延との和、前記受信側が前記送信パケットを処理する処理遅延、及び前記受信側の前のノードから前記受信側までの伝送遅延という三者の和に基づき、前記送信側から前記受信側までの遅延を確定することを含むことを特徴とする
請求項７に記載の方法。
【請求項１３】
前記遅延が前記送信側から前記受信側までの同期時間偏差を含むことを特徴とする
請求項７−１２のいずれか一項に記載の方法。
【請求項１４】
通信方法であって、
通信ノードが送信側から送信された、宛先が受信側である送信パケットを受信することと、
前記通信ノードが前記送信パケットを処理する処理遅延と前のノードから前記通信ノードまでの伝送遅延を前記送信パケットに追加することと、
前記通信ノードが前記送信パケットを前記受信側に送信することとを含む、前記通信方法。
【請求項１５】
前記方法はさらに、
前記通信ノードの前のノードが前記通信ノードと同期していない場合、前記通信ノードと前記前のノードの同期時間偏差を確定することと、
前記同期時間偏差を前記送信パケットに追加することとを含むことを特徴とする
請求項１４に記載の方法。
【国際調査報告】
2019525504.tif 000008
2019525504.tif 000009
2019525504.tif 000010
2019525504.tif 000011